(57)【要約】      （修正有）【課題】普段の使用時に浮力材が邪魔にならず、水難時にユーザーが腰ベルト部を収納部から引き出してユーザーのお腹の前で留めるだけで、ユーザーのお腹側で浮力を発生させてユーザーの姿勢を立ち泳ぎ可能な姿勢に安定させることができるリュックサックを提供する。【解決手段】リュックサック１００は、バッグ本体１１０と、一対の肩ベルト１２０と、バッグ本体の内側に設けられた第１浮力材と、バッグ本体の両側側方に設けられた収納部１１３と、バッグ本体または収納部と接続されてそれぞれ先端側に留め具１３４を有して収納部に対して引き出し・収納自在な腰ベルト部１３０と、腰ベルト部に取り付けられた第２浮力材１３１とを備えている。第２浮力材が、収納部の出し入れ口１１３ａを介して、収納部に対して引き出し・収納自在に設けられている。【選択図】図３
0003230798.tif 000002
【実用新案登録請求の範囲】
【請求項１】
バッグ本体と、一対の肩ベルトとを備えたリュックサックであって、
前記バッグ本体の内側に設けられた第１浮力材と、
前記バッグ本体の両側側方に設けられた収納部と、
前記バッグ本体または収納部と接続されてそれぞれ先端側に留め具を有して収納部に対して引き出し・収納自在な腰ベルト部と、
前記腰ベルト部に取り付けられた第２浮力材とを備え、
前記第２浮力材が、前記収納部の出し入れ口を介して、収納部に対して引き出し・収納自在に設けられていることを特徴とするリュックサック。
【請求項２】
前記腰ベルト部が、前記第２浮力材との接続部分よりバッグ本体または収納部との接続箇所側においてベルト長手方向に伸縮自在な伸縮部分を有していることを特徴とする請求項１に記載のリュックサック。
【請求項３】
前記腰ベルト部のベルト部分が留め具に通されて、ベルト部分における留め具よりベルト先端側が引っ張られるとベルト基端側が絞られ、留め具の爪部分がベルト部分と接触する構成であることを特徴とする請求項１または請求項２に記載のリュックサック。
【請求項４】
前記収納部の出し入れ口におけるベルト幅方向の寸法が、前記第２浮力材におけるベルト幅方向の寸法より短く、収納部の出し入れ口に伸縮性部材が配設され、ベルト厚み方向に伸縮自在であることを特徴とする請求項１乃至請求項３のいずれか１つに記載のリュックサック。
【考案の詳細な説明】
【技術分野】
【０００１】
本考案は、バッグ本体と、一対の肩ベルトとを備えたリュックサックに関する。
【背景技術】
【０００２】
従来、底面部、背面部、後面部及び背面部と後面部との間の左右の側面と天面とを包囲する周面部とからなり、周面部にスライドファスナーを設けるとともに、背面部に一対の肩ベルトを設けたリュックサックにおいて、底面部、背面部、後面部、周面部の左右各下端部及び肩ベルトに発泡プラスチックプレートからなる浮力材をそれぞれ配設する一方、発泡プラスチックプレートからなる浮力材を配設した腰ベルトを背面部に着脱自在に設け、ウエストに巻き回した腰ベルトの左右先端を連結可能としたことを特徴とするリュックサックが知られている（例えば、特許文献１）。
【先行技術文献】
【特許文献】
【０００３】
【特許文献１】実用新案登録第３１７０２７７号公報
【考案の概要】
【考案が解決しようとする課題】
【０００４】
しかしながら、上述した従来のリュックサックは、浮力材を配設した腰ベルトを背面部に取り付けた状態では、ユーザーの肘周りで浮力材が邪魔になり、ユーザーが腕を動かしにくくて歩きにくいという問題があった。
他方、浮力材を配設した腰ベルトを背面部から取り外した状態では、万が一の水難時に即座に取り付けることが困難で、人命に関わる問題があった。
つまり、取り外していた腰ベルトを水難時に慌てて探しても見つからず、直ちに取り付けることができない虞があった。
【０００５】
そこで、本考案は、前述したような従来技術の問題を解決するものであって、すなわち、本考案の目的は、普段の使用時に浮力材が邪魔にならず、水難時にユーザーが腰ベルト部を収納部から引き出してユーザーのお腹の前で留めるだけで、ユーザーのお腹側で浮力を発生させてユーザーの姿勢を立ち泳ぎ可能な姿勢に安定させることができるリュックサックを提供することである。
【課題を解決するための手段】
【０００６】
本請求項１に係る考案は、バッグ本体と、一対の肩ベルトとを備えたリュックサックであって、前記バッグ本体の内側に設けられた第１浮力材と、前記バッグ本体の両側側方に設けられた収納部と、前記バッグ本体または収納部と接続されてそれぞれ先端側に留め具を有して収納部に対して引き出し・収納自在な腰ベルト部と、前記腰ベルト部に取り付けられた第２浮力材とを備え、前記第２浮力材が、前記収納部の出し入れ口を介して、収納部に対して引き出し・収納自在に設けられていることにより、前述した課題を解決するものである。
【０００７】
本請求項２に係る考案は、請求項１に記載されたリュックサックの構成に加えて、前記腰ベルト部が、前記第２浮力材との接続部分よりバッグ本体または収納部との接続箇所側においてベルト長手方向に伸縮自在な伸縮部分を有していることにより、前述した課題をさらに解決するものである。
【０００８】
本請求項３に係る考案は、請求項１または請求項２に記載されたリュックサックの構成に加えて、前記腰ベルト部のベルト部分が留め具に通されて、ベルト部分における留め具よりベルト先端側が引っ張られるとベルト基端側が絞られ、留め具の爪部分がベルト部分と接触する構成であることにより、前述した課題をさらに解決するものである。
【０００９】
本請求項４に係る考案は、請求項１乃至請求項３のいずれか１つに記載されたリュックサックの構成に加えて、前記収納部の出し入れ口におけるベルト幅方向の寸法が、前記第２浮力材におけるベルト幅方向の寸法より短く、収納部の出し入れ口に伸縮性部材が配設され、ベルト厚み方向に伸縮自在であることにより、前述した課題をさらに解決するものである。
【考案の効果】
【００１０】
本考案のリュックサックは、バッグ本体と、一対の肩ベルトとを備えていることにより、ユーザーはリュックサックを背負うことができるばかりでなく、以下のような特有の効果を奏することができる。
【００１１】
本請求項１に係る考案のリュックサックによれば、第２浮力材が収納部に収納されているとき、ユーザーの胴体の両側には第２浮力材がないため、第２浮力材がユーザーの身動きの邪魔になることを回避することができる。
さらに、水難時にユーザーが腰ベルト部を収納部から引き出すと第２浮力材が収納部から引き出され、ユーザーが引き出した腰ベルト部をユーザーのお腹の前で留めたとき、第１浮力材による浮力がユーザーの背中側で上方へ向かって作用するとともに第２浮力材による浮力がユーザーのお腹側で上方へ向かって作用するため、水難時にユーザーの身体が水につかったときのユーザーの姿勢がうつぶせになってしまうことを回避し、ユーザーの姿勢を立ち泳ぎ可能な姿勢に安定させることができる。
つまり、通学時などの使用時に第２浮力材が邪魔にならず、水難時にユーザーが腰ベルト部を収納部から引き出してユーザーのお腹の前で留めるだけで、ユーザーのお腹側で浮力を発生させてユーザーの姿勢を立ち泳ぎ可能な姿勢に安定させることができる。
【００１２】
本請求項２に係る考案のリュックサックによれば、請求項１に係る考案が奏する効果に加えて、ユーザーの体格が太めであった場合でも腰ベルト部をユーザーのお腹の前で留めたとき、伸縮部分が伸びて第２浮力材の位置がユーザーのお腹の前側まで移動可能となるため、ユーザーの体格に関わらず、第２浮力材による浮力をユーザーのお腹側で上方へ向かって確実に作用させることができる。
【００１３】
本請求項３に係る考案のリュックサックによれば、請求項１または請求項２に係る考案が奏する効果に加えて、先ず、ベルト基端側を長くした状態で一対の留め具をユーザーのお腹の前で留める。
このとき、第２浮力材は収納部に収納されたままである。
次に、ユーザーが一対のベルト先端側を引っ張るとベルト基端側が絞られて第２浮力材の位置がユーザーのお腹側へ移動するため、第２浮力材による浮力をユーザーのお腹側で上方へ向かって迅速、かつ、簡単に作用させることができる。
【００１４】
本請求項４に係る考案のリュックサックによれば、請求項１乃至請求項３のいずれか１つに係る考案が奏する効果に加えて、第２浮力材を使用しないとき、第２浮力材に外力が作用しないため、伸縮性部材は収納部から第２浮力材が出て来ないようにするストッパーとして機能することができる。
他方、ユーザーによって腰ベルト部が引っ張られて第２浮力材に外力が作用したとき、伸縮性部材は第２浮力材と接触して外力に抗して伸びながらベルト幅方向外側に退避するように変形して、第２浮力材を収納部の内側から出し入れ口を介して外側へ通過させるため、ユーザーは第２浮力材を収納部から簡単に引き出すことができる。
また、収納するときは、伸縮性部材をベルト幅方向外側へ広げながら第２浮力材を収納部の中へ入れることができる。
【図面の簡単な説明】
【００１５】
【図１】（Ａ）（Ｂ）は本考案の実施例であるリュックサックの腰ベルト部の留め具および第２浮力材を収納したときの様子であってユーザーが背負ったときの前方から視た図および側方から視た図。
【図２】（Ａ）（Ｂ）は本考案の実施例であるリュックサックの腰ベルト部の留め具を収納部から引き出してユーザーのお腹の前で留めたときの様子であって背負ったときの前方から視た図および側方から視た図。
【図３】（Ａ）（Ｂ）は本考案の実施例であるリュックサックの第２浮力材が収納部から引き出されてユーザーのお腹の前側に移動したときの様子であって背負ったときの前方から視た図および側方から視た図。
【図４】（Ａ）〜（Ｃ）は本考案の実施例であるリュックサックの第２浮力材が収納部から引き出される様子を示す図。
【考案を実施するための形態】
【００１６】
本考案のリュックサックは、バッグ本体と、一対の肩ベルトとを備え、バッグ本体の内側に設けられた第１浮力材と、バッグ本体の両側側方に設けられた収納部と、バッグ本体または収納部と接続されてそれぞれ先端側に留め具を有して収納部に対して引き出し・収納自在な腰ベルト部と、腰ベルト部に取り付けられた第２浮力材とを備え、第２浮力材が、収納部の出し入れ口を介して、収納部に対して引き出し・収納自在に設けられていることにより、第２浮力材が収納部に収納されているとき、第２浮力材がユーザーの身動きの邪魔になることを回避することができ、水難時にユーザーが腰ベルト部を収納部から引き出すと第２浮力材が収納部から引き出され、ユーザーが引き出した腰ベルト部をユーザーのお腹の前で留めたとき、水難時にユーザーの身体が水につかったときのユーザーの姿勢がうつぶせになってしまうことを回避し、ユーザーの姿勢を立ち泳ぎ可能な姿勢に安定させることができるものであれば、その具体的な実施態様は、如何なるものであっても構わない。
【００１７】
例えば、リュックサックは、ユーザーが一対の肩ベルトのそれぞれに両腕を通してバッグ本体を背中に背負うタイプであれば、開閉カバーを有して開閉するランドセルタイプや、ジッパーを有して開閉するリュックサックやデイパックタイプなど如何なるものであっても構わない。
また、バッグ本体は、防水コーティングされたものや、防水素材で形成されたものなどの防水仕様でもよいが、防水仕様でないものでもよい。
さらに、第１浮力材および第２浮力材は、発泡ウレタンなど水に浸かった際に浮力を発生するものであれば如何なるものであっても構わない。
また、第１浮力材の位置に関して、バッグ本体の内側とは、バッグ本体の生地表面より内側をいう。
さらに、第２浮力材の収納部の位置に関して、バッグ本体の両側側方にあればよく、バッグ本体の生地表面の内側、外側のいずれでもよい。
【実施例】
【００１８】
以下に、本考案の実施例であるリュックサック１００について、図１（Ａ）乃至図４（Ｃ）に基づいて説明する。
ここで、図１（Ａ）は、本考案の実施例であるリュックサック１００の腰ベルト部１３０の留め具１３４および第２浮力材１３１を収納したときの様子であってユーザーが背負ったときの前方から視た図であり、図１（Ｂ）は、図１（Ａ）に示す符号１Ｂから視た図であり、図２（Ａ）は、本考案の実施例であるリュックサック１００の腰ベルト部１３０の留め具１３４を収納部１１３から引き出してユーザーのお腹の前で留めたときの様子であって背負ったときの前方から視た図であり、図２（Ｂ）は、図２（Ａ）に示す符号２Ｂから視た図であり、図３（Ａ）は、本考案の実施例であるリュックサック１００の第２浮力材１３１が収納部１１３から引き出されてユーザーのお腹の前側に移動したときの様子であって背負ったときの前方から視た図であり、図３（Ｂ）は、図３（Ａ）に示す符号３Ｂから視た図であり、図４（Ａ）は、本考案の実施例であるリュックサック１００の第２浮力材１３１が収納部１１３から引き出される様子であって、第２浮力材１３１が収納部１１３の出し入れ口１１３ａの伸縮性部材１１３ｂに接触したときを示す図であり、図４（Ｂ）は、図４（Ａ）の状態からベルト部分１３３に引っ張られて第２浮力材１３１が伸縮性部材１１３ｂを上方に押し広げようとしている様子を示す図であり、図４（Ｃ）は、図４（Ｂ）の状態からさらにベルト部分１３３に引っ張られて第２浮力材１３１が伸縮性部材１１３ｂを上方に押し広げて収納部１１３からでる様子を示す図である。
なお、本考案を理解しやすくするために、ユーザーの身体の図示を省略する。
さらに、図１（Ｂ）、図２（Ｂ）および図３（Ｂ）において、一対の肩ベルト１２０の前留め具１２１の図示を省略する。
【００１９】
本考案の実施例であるリュックサック１００は、図１（Ａ）および図１（Ｂ）に示すように、バッグ本体１１０と、一対の肩ベルト１２０とを備えている。
バッグ本体１１０には、ランドセルタイプとしての蓋カバー１１１が設けられている。
また、一対の肩ベルト１２０には、ユーザーがしっかりとバッグ本体１１０を背中に背負うことができるように、一例として前留め具１２１が設けられている。
【００２０】
さらに、リュックサック１００は、第１浮力材１１２と、収納部１１３と、腰ベルト部１３０と、第２浮力材１３１とを備えている。
このうち、第１浮力材１１２は、バッグ本体１１０の内側に設けられている。
より具体的には、バッグ本体１１０の内側のユーザーが背負ったときの前面、後ろ面、両側側面、底面に、一例として取り外し自在に取り付けられている。
また、収納部１１３は、バッグ本体１１０の一例として外側の両側側方に設けられている。
さらに、腰ベルト部１３０は、バッグ本体１１０または収納部１１３と接続されてそれぞれ先端側に留め具１３４を有して収納部１１３に対して前側の出し入れ口１１３ａを介して引き出し・収納自在に設けられている。
また、第２浮力材１３１は、バッグ本体１１０または収納部１１３から左右それぞれ延設された腰ベルト部１３０に取り付けられている。
なお、第２浮力材１３１は、発泡ウレタンなどの素材であり、袋状カバー内に入れられて腰ベルト部１３０に取り付けられている。
【００２１】
図１（Ａ）および図１（Ｂ）に示すように、第２浮力材１３１は、左右の収納部１１３に収納されている。
これにより、第２浮力材１３１が収納部１１３に収納されているとき、ユーザーの胴体の両側には第２浮力材１３１がない。
つまり、第２浮力材１３１は、ユーザーの胴体の側方の後ろ（斜め後ろ）に位置する。
その結果、第２浮力材１３１がユーザーの身動きの邪魔になることを回避することができる。
【００２２】
また、水難時に、図３（Ａ）および図３（Ｂ）に示すように、腰ベルト部１３０の第２浮力材１３１、留め具１３４、および伸縮しないベルト部分１３３を収納部１１３から引き出して、留め具１３４を胴体の前側で留めるとともに第２浮力材１３１を胴体の前側まで移動させると、第１浮力材１１２による浮力がユーザーの背中側で上方へ向かって作用するとともに第２浮力材１３１による浮力がユーザーのお腹側で上方へ向かって作用する。
その結果、水難時にユーザーの身体が水につかったときのユーザーの姿勢がうつぶせになってしまうことを回避し、ユーザーの姿勢を立ち泳ぎ可能な姿勢に安定させることができる。
つまり、水難時にユーザーが腰ベルト部１３０を収納部１１３から引き出してユーザーのお腹の前で留めるだけで、ユーザーのお腹側で浮力を発生させてユーザーの姿勢を立ち泳ぎ可能な姿勢に安定させることができる。
【００２３】
さらに、本実施例では、図３（Ａ）および図３（Ｂ）に示すように、腰ベルト部１３０が、第２浮力材１３１との接続部分よりバッグ本体１１０または収納部１１３との接続箇所側においてベルト長手方向Ｄ１に伸縮自在な伸縮部分１３２を有している。
これにより、ユーザーの体格が太めであった場合でも腰ベルト部１３０をユーザーのお腹の前で留めたとき、伸縮部分１３２が伸びて第２浮力材１３１の位置がユーザーのお腹の前側まで移動可能となる。
その結果、ユーザーの体格に関わらず、第２浮力材１３１による浮力をユーザーのお腹側で上方へ向かって確実に作用させることができる。
【００２４】
続いて、より効果的な第２浮力材１３１の引き出し方について説明する。
図２（Ａ）および図２（Ｂ）に示すように、ユーザーが両腕を一対の肩ベルト１２０に通してリュックサック１００を背負ったとき、ユーザーは胸の前で一対の肩ベルト１２０に設けられた前留め具１２１を留める。
本実施例では、腰ベルト部１３０の伸縮しないベルト部分１３３が留め具１３４に通されて、ベルト部分１３３における留め具１３４よりベルト先端側１３３ａが引っ張られるとベルト基端側１３３ｂが絞られ、留め具１３４の爪部分（図示せず）がベルト部分１３３と接触する構成である。
【００２５】
そして、先ず、ベルト部分１３３の留め具１３４よりベルト基端側１３３ｂを長くした状態で、ユーザーは、腰ベルト部１３０の一対の留め具１３４およびベルト部分１３３を収納部１１３から引き出して、ユーザーのお腹の前側で留める。
なお、腰ベルト部１３０の留め具１３４を留めたこの状態で、普段使用してもよいし、腰ベルト部１３０の留め具１３４を使用せず、腰ベルト部１３０の留め具１３４およびベルト部分１３３を収納部１１３に収納した状態で、普段使用してもよい。
【００２６】
次に、図３（Ａ）および図３（Ｂ）に示すように、ユーザーが一対のベルト部分１３３の留め具１３４よりベルト先端側１３３ａを引っ張ると、ベルト基端側１３３ｂが絞られて、第２浮力材１３１の位置がユーザーのお腹側へ移動する。
その結果、第２浮力材１３１による浮力をユーザーのお腹側で上方へ向かって迅速、かつ、簡単に作用させることができる。
なお、留め具１３４の爪部分（図示せず）がベルト部分１３３と接触として緩み止めとして機能するため、ベルト基端側１３３ｂが絞られて第２浮力材１３１の位置がユーザーのお腹の前側に位置した状態を維持することができる。
【００２７】
さらに、本実施例では、収納部１１３の出し入れ口１１３ａにおけるベルト幅方向Ｄ２の寸法Ｍ１が、第２浮力材１３１におけるベルト幅方向Ｄ２の寸法Ｍ２より短い。
そして、収納部１１３の出し入れ口１１３ａにおけるベルト幅方向Ｄ２の中央より偏位した位置、例えば、出し入れ口１１３ａの上端に伸縮性部材１１３ｂが配設され、伸縮性部材１１３ｂは、ベルト厚み方向Ｄ３に伸縮自在である。
これにより、図１（Ａ）〜図２（Ｂ）に示すように、第２浮力材１３１を使用しないとき、第２浮力材１３１に外力が作用しない。
その結果、伸縮性部材１１３ｂは収納部１１３から第２浮力材１３１が出て来ないようにするストッパーとして機能することができる。
【００２８】
他方、図４（Ａ）に示すように、ユーザーによって腰ベルト部１３０が引っ張られて第２浮力材１３１に外力が作用したとき、第２浮力材１３１が、収納部１１３の内部において出し入れ口１１３ａ側へ移動する。
そして、第２浮力材１３１が、出し入れ口１１３ａに設けられた伸縮性部材１１３ｂと接触する。
外力の大きさが比較的小さいとき、ストッパーとして機能するが、外力の大きさが比較的大きくなると、図４（Ｂ）に示すように、伸縮性部材１１３ｂは第２浮力材１３１と接触して外力に抗して伸びながらベルト幅方向Ｄ２外側に退避するように変形する。
【００２９】
そして、図４（Ｃ）に示すように、第２浮力材１３１を収納部１１３の内側から出し入れ口１１３ａを介して外側へ通過させる。
その結果、ユーザーは第２浮力材１３１を収納部１１３から簡単に引き出すことができる。
また、収納するときは、伸縮性部材１１３ｂをベルト幅方向Ｄ２外側へ広げながら第２浮力材１３１を収納部１１３の中へ入れることができる。
【００３０】
なお、収納部１１３は、前側の出し入れ口１１３ａおよび上側が開いた構造であるが、少なくとも、前側の出し入れ口１１３ａが開いていればよい。
また、収納部１１３の位置は、少なくともバッグ本体１１０の外側の両側側方に設けられていればよく、バッグ本体１１０の外側の両側側方から後方（後ろ面）へ延設されていてもよい。
さらに、収納部１１３の出し入れ口１１３ａにファスナーを設けて、第２浮力材１３１を収納部１１３の中に収納したとき、ファスナーによって出し入れ口１１３ａを開閉自在な構成にしてもよい。
【００３１】
このようにして得られた本考案の実施例であるリュックサック１００は、バッグ本体１１０と、一対の肩ベルト１２０とを備え、バッグ本体１１０の内側に設けられた第１浮力材１１２と、バッグ本体１１０の両側側方に設けられた収納部１１３と、バッグ本体１１０または収納部１１３と接続されてそれぞれ先端側に留め具１３４を有して収納部１１３に対して引き出し・収納自在な腰ベルト部１３０と、腰ベルト部１３０に取り付けられた第２浮力材１３１とを備え、第２浮力材１３１が、収納部１１３の出し入れ口１１３ａを介して、収納部１１３に対して引き出し・収納自在に設けられていることにより、第２浮力材１３１が収納部１１３に収納されているとき、第２浮力材１３１がユーザーの身動きの邪魔になることを回避することができ、水難時にユーザーが腰ベルト部１３０を収納部１１３から引き出してユーザーのお腹の前で留めるだけで、ユーザーのお腹側で浮力を発生させてユーザーの姿勢を立ち泳ぎ可能な姿勢に安定させることができる。
【００３２】
さらに、腰ベルト部１３０が、第２浮力材１３１との接続部分よりバッグ本体１１０または収納部１１３との接続箇所側においてベルト長手方向Ｄ１に伸縮自在な伸縮部分１３２を有していることにより、ユーザーの体格に関わらず、第２浮力材１３１による浮力をユーザーのお腹側で上方へ向かって確実に作用させることができる。
【００３３】
また、腰ベルト部１３０のベルト部分１３３が留め具１３４に通されて、ベルト部分１３３における留め具１３４よりベルト先端側１３３ａが引っ張られるとベルト基端側１３３ｂが絞られ、留め具１３４の爪部分がベルト部分１３３と接触する構成であることにより、先ず、ベルト基端側１３３ｂを長くした状態で一対の留め具１３４をユーザーのお腹の前で留め、次に、ユーザーが一対のベルト先端側１３３ａを引っ張るだけで、第２浮力材１３１による浮力をユーザーのお腹側で上方へ向かって迅速、かつ、簡単に作用させることができる。
【００３４】
さらに、収納部１１３の出し入れ口１１３ａにおけるベルト幅方向Ｄ２の寸法Ｍ１が、第２浮力材１３１におけるベルト幅方向Ｄ２の寸法Ｍ２より短く、収納部１１３の出し入れ口１１３ａに伸縮性部材１１３ｂが配設され、ベルト厚み方向Ｄ３に伸縮自在であることにより、第２浮力材１３１を使用しないとき、伸縮性部材１１３ｂは収納部１１３から第２浮力材１３１が出て来ないようにするストッパーとして機能することができ、他方、ユーザーによって腰ベルト部１３０が引っ張られて第２浮力材１３１に外力が作用したとき、ユーザーは第２浮力材１３１を収納部１１３から簡単に引き出すことができ、収納するときは、伸縮性部材１１３ｂをベルト幅方向Ｄ２外側へ広げながら第２浮力材１３１を収納部１１３の中へ入れることができるなど、その効果は甚大である。
【符号の説明】
【００３５】
１００  ・・・  リュックサック
１１０  ・・・  バッグ本体
１１１  ・・・  蓋カバー
１１２  ・・・  第１浮力材
１１３  ・・・  収納部
１１３ａ・・・  出し入れ口
１１３ｂ・・・  伸縮性部材
１２０  ・・・  一対の肩ベルト
１２１  ・・・  前留め具
１３０  ・・・  腰ベルト部
１３１  ・・・  第２浮力材
１３２  ・・・  伸縮部分
１３３  ・・・  ベルト部分
１３３ａ・・・  （留め具より）ベルト先端側
１３３ｂ・・・  （留め具より）ベルト基端側
１３４  ・・・  留め具
Ｍ１    ・・・  出し入れ口におけるベルト幅方向の寸法
Ｍ２    ・・・  第２浮力材におけるベルト幅方向の寸法
Ｄ１    ・・・  ベルト長手方向
Ｄ２    ・・・  ベルト幅方向
Ｄ３    ・・・  ベルト厚み方向
【図１】
0003230798.tif 000003
【図２】
0003230798.tif 000004
【図３】
0003230798.tif 000005
【図４】
0003230798.tif 000006